(57)【特許請求の範囲】
【請求項１】
照明装置であって、
符号化光を放つための光源と、
第１の通信リンク上で照明制御装置とデータを送受信するための第１の通信手段と、
前記符号化光により第２の通信リンク上でサテライト照明装置とデータを送受信するための第２の通信手段と、
ユーザ要求に応じて、前記第１の通信リンク上でアソシエーション要求を前記照明制御装置から受信し、前記第２の通信リンク上で前記アソシエーション要求を前記サテライト照明装置に送信し、前記サテライト照明装置においてアソシエーションプロセスが可能であるという条件下で、前記第２の通信リンク上で前記サテライト照明装置の識別子を前記サテライト照明装置から受信し、前記サテライト照明装置を前記照明装置と関連付けるための制御手段と、
を有する、照明装置。
【請求項２】
前記第２の通信手段は、
前記光源によって放たれる光を変調することにより、前記第２の通信リンク上で前記データを送信し、
光検出器によって検出される光を復調することにより、前記第２の通信リンク上で前記データを受信する、請求項１記載の照明装置。
【請求項３】
前記制御手段は、更に、
前記第１の通信リンク上で光設定を前記照明制御装置から受信し、
前記光設定が前記照明装置のために意図されているという条件下で、放たれる光の特性を前記光設定に応じて調整し、
前記第２の通信リンク上で前記光設定を前記サテライト照明装置に送信する、請求項１記載の照明装置。
【請求項４】
照明装置であって、
符号化光を放つための光源と、
前記符号化光により通信リンク上で中央照明装置とデータを送受信するための通信手段と、
前記通信リンク上でアソシエーション要求を前記中央照明装置から受信し、前記アソシエーション要求の受信に応じて、前記照明装置においてアソシエーションプロセスが可能であるという条件下で、前記照明装置を前記中央照明装置と関連付けるため、前記通信リンク上で前記照明装置の識別子を前記中央照明装置に送信する制御手段と、
を有する、照明装置。
【請求項５】
前記アソシエーションプロセスは、前記照明装置が初めて電源オンされた後の所定の期間、可能である、請求項４記載の照明装置。
【請求項６】
ユーザ操作可能な素子を更に有し、前記アソシエーションプロセスは、前記ユーザ操作可能な素子が操作された後の所定の期間、可能である、請求項４記載の照明装置。
【請求項７】
前記アソシエーションプロセスは、前記通信手段によってリセット要求が受信された後の所定の期間、可能である、請求項４記載の照明装置。
【請求項８】
前記通信手段は、
前記光源によって放たれる光を変調することにより、前記通信リンク上で前記データを送信し、
光検出器によって検出される光を復調することにより、前記通信リンク上で前記データを受信する、請求項４記載の照明装置。
【請求項９】
前記制御手段は、更に、
前記通信リンク上で光設定を前記中央照明装置から受信し、
前記光設定が前記照明装置のために意図されているという条件下で、放たれる光の特性を前記光設定に応じて調整する、請求項４記載の照明装置。
【請求項１０】
符号化光を放つための光源と、
第１の通信リンク上でデータを送受信するための第１の通信手段と、
前記符号化光により第２の通信リンク上でデータを送受信するための第２の通信手段と、
前記第１の通信リンク上でアソシエーション要求を受信し、前記第２の通信リンク上で前記アソシエーション要求を送信し、前記第２の通信リンク上でサテライト照明装置の識別子を受信し、前記サテライト照明装置を前記照明装置と関連付けるための制御手段と、
を有する、中央照明装置と、
符号化光を放つための光源と、
前記符号化光により第２の通信リンク上でデータを送受信するための通信手段と、
前記第２の通信リンク上でアソシエーション要求を受信し、アソシエーションプロセスが可能であるという条件下で、前記第２の通信リンク上で前記照明装置の識別子を送信する制御手段と、
を有する、サテライト照明装置と、
照明制御装置と、を有する照明システムであって、
前記照明制御装置及び前記中央照明装置は、前記第１の通信リンク上で通信し、前記中央照明装置及び前記サテライト照明装置は、前記第２の通信リンク上で通信し、前記照明制御装置は、ユーザ要求に応じて、前記第１の通信リンク上でアソシエーション要求を送信する、照明システム。
【請求項１１】
前記照明制御装置は、更に、前記ユーザ要求に応じて、前記中央照明装置、前記サテライト照明装置、又は、前記中央照明装置及び前記サテライト照明装置の両方のために意図されている光設定を前記第１の通信リンク上で送信する、請求項１０記載の照明システム。
【請求項１２】
照明制御装置と中央照明装置とサテライト照明装置とを有し、前記照明制御装置及び中央照明装置は、第１の通信リンク上で通信し、前記中央照明装置及び前記サテライト照明装置は、符号化光により第２の通信リンク上で通信する、照明システムのための方法であって、前記方法は、
前記照明制御装置において、
ユーザ要求に応じて、前記第１の通信リンク上でアソシエーション要求を送信し、
前記中央照明装置において、
前記アソシエーション要求を受信し、
前記アソシエーション要求を前記第２の通信リンク上で送信し、
前記サテライト照明装置において、
前記アソシエーション要求を受信し、
アソシエーションプロセスが可能であるという条件下で、前記サテライト照明装置の識別子を前記第２の通信リンク上で送信し、
前記中央照明装置において、
前記サテライト照明装置の前記識別子を受信し、
前記サテライト照明装置を前記中央照明装置と関連付ける、方法。
【請求項１３】
前記アソシエーションプロセスは、前記サテライト照明装置が初めて電源オンされた後の所定の期間、可能である、請求項１２記載の方法。
【請求項１４】
前記サテライト照明装置は、ユーザ操作可能な素子を更に有し、前記アソシエーションプロセスは、前記ユーザ操作可能な素子が操作された後の所定の期間、可能である、請求項１２記載の方法。
【請求項１５】
前記アソシエーションプロセスは、前記通信手段によってリセット要求が受信された後の所定の期間、可能である、請求項１２記載の方法。
【発明の詳細な説明】
【技術分野】
【０００１】
本発明は、概して、照明システムに関し、より具体的には、符号化光ネットワークの設定方法に関する。
【背景技術】
【０００２】
符号化光照明ネットワークは、一般的に、１つの中央光源と、１又は複数のサテライト光源とを有する。光源は、例えば、ソリッドステート光源ベースの電球であってもよい。中央光源は、ZigBee（登録商標）、WiFi（登録商標）、又は、Bluetooth（登録商標）などの他の通信プロトコルに加えて、可視符号化光により通信可能である。一方、サテライト光源は、可視符号化光によってのみ通信可能である。
【発明の概要】
【発明が解決しようとする課題】
【０００３】
符号化光ネットワークのユーザは、一般的に、携帯型リモコン又は壁掛け型の制御装置などの照明制御装置を用いて光源を制御する。光源の光設定は、照明制御装置から中央光源に送信される制御情報によって制御される。当該制御情報は、ZigBee、WiFi、又は、Bluetoothなどの第１の通信リンクによって伝達され、且つ、第２の通信リンク、即ち、符号化光により、中央光源からサテライト光源に制御情報を転送することによって、伝達される。制御情報を受信すると、光源は、制御情報に従って、オン／オフ、強度、又は、色などの、放射光の特性を調整する。
【０００４】
ZigBee、WiFi、又は、Bluetoothを介して通信可能な光源を有する照明システムを設置する場合、光源は、一般的に、近接検出により、照明システムのコントローラとリンク、即ち、関連付けられる。これは、例えば、コントローラを光源の近くに配置することによって、達成されてもよく、光源が、受信信号強度に基づいて、近接しているコントローラを検出するとすぐに、光源が、コントローラにリンクされ、又は、関連付けられる。
【０００５】
しかしながら、符号化光ネットワークでは、サテライト光源は、コントローラと直接的に通信することができない。代わりに、通信、及び、特に関連付けは、代理（proxy）として機能する中央光源を介した通信によって実現される。しかしながら、符号化光ネットワークのセットアップは、見える範囲にあるがコミッションされる照明システムには属していない他のサテライト光源からの干渉によって妨げられる。結果として、隣接する符号化光ネットワークのサテライト照明装置は、コミッションされる照明システムの中央照明装置と誤って関連付けられる可能性がある。
【課題を解決するための手段】
【０００６】
本発明は、上記技術及び従来技術に対して、より効率的な代替案を提供することを目的とする。
【０００７】
より具体的には、本発明は、符号化光ネットワークにおいて、サテライト照明装置を中央照明装置と関連付ける改善された方法を提供することを目的とする。
【０００８】
本発明の、これらの及び他の目的は、独立請求項１に記載の特徴を持つ照明装置によって、独立請求項４に記載の特徴を持つ照明装置によって、及び、独立請求項１２に記載の特徴を持つ照明システムの方法によって、達成される。本発明の実施形態は、従属請求項によって特徴付けられる。
【０００９】
本発明の第１の態様によれば、照明装置が供給される。当該照明装置は、光源と、第１の通信手段と、第２の通信手段と、制御手段とを有する。光源は、符号化光を発するように構成される。第１の通信手段は、第１の通信リンクを介してデータを送受信するように構成される。第１の通信リンク上の通信は、好ましくは、ZigBee、WiFi、又は、Bluetoothなどの無線周波数ベースの技術により実現される。第２の通信手段は、第２の通信リンクを介してデータを送受信するように構成される。第２の通信リンク上の通信は、光源によって発された符号化光により実現される。制御手段は、第１の通信リンク上でアソシエーション要求を受信し、第２の通信リンク上でアソシエーション要求を送信し、第２の通信リンク上でサテライト照明装置の識別子を受信し、サテライト照明装置を照明装置と関連付けるように構成される。光源は、例えば、ソリッドステート光源であってもよい。サテライト照明装置と照明装置との関連付けは、例えば、照明装置において、受信した識別子を格納することによって実現されてもよい。あるいは、受信された識別子は、第１の通信リンク上で、識別子が格納され得る照明制御装置へ転送されてもよい。サテライト照明装置の識別子は、例えば、一意の数又は一意のネットワークアドレスであってもよい。以下では、本発明の第１の態様に従った照明装置の実施形態が、中央照明装置として示される。
【００１０】
本発明の第２の態様によれば、照明装置が供給される。当該照明装置は、光源と、通信手段と、制御手段とを有する。光源は、符号化光を発するように構成される。通信手段は、第２の通信リンク上でデータを送受信するように構成される。第２の通信リンク上の通信は、光源によって発された符号化光により実現される。制御手段は、第２の通信リンク上でアソシエーション要求を受信し、第２の通信リンク上で照明装置の識別子を送信するように構成される。識別子は、アソシエーションプロセスが可能であるという条件下で、送信される。光源は、例えば、ソリッドステート光源であってもよい。識別子は、例えば、一意の数又は一意のネットワークアドレスであってもよい。以下では、本発明の第２の態様に従った照明装置の実施形態が、サテライト照明装置として示される。
【００１１】
本発明の第３の態様によれば、照明システムの方法が供給される。照明システムは、照明制御装置と、中央照明装置と、サテライト照明装置とを有する。照明システムは、複数のサテライト照明装置を有していてもよい。照明制御装置と中央照明装置とは、第１の通信リンク上で通信するように構成される。第１の通信リンク上の通信は、好ましくは、ZigBee、WiFi、又は、Bluetoothなどの無線周波数ベースの技術により実現される。中央照明装置とサテライト照明装置とは、第２の通信リンク上で通信するように構成される。第２の通信リンク上の通信は、符号化光により実現される。当該方法は、照明制御装置において、ユーザ要求に応じて、第１の通信リンク上でアソシエーション要求を送信する。また、当該方法は、中央照明装置において、アソシエーション要求を受信し、アソシエーション要求を第２の通信リンク上で送信する。さらに、当該方法は、サテライト照明装置の識別子を第２の通信リンク上で送信する。当該識別子は、アソシエーションプロセスが可能であるという条件下で、送信される。また、当該方法は、中央照明装置において、サテライト照明装置の識別子を受信し、サテライト照明装置を中央照明装置と関連付ける。サテライト照明装置の識別子は、例えば、一意の数又は一意のネットワークアドレスであってもよい。
【００１２】
本発明は、符号化光ネットワークが、ユーザ要求に応じて、限られた期間でのみ可能にされるアソシエーションプロセスにより、セットアップ、又は、コミッションされ得るという理解を利用する。本発明を説明する目的のため、符号化光ネットワークをセットアップするタスクは、ネットワーク内のサテライト照明装置をネットワークの中央照明装置と関連付けることを意味する。これは、アソシエーションプロセスにより達成される。
【００１３】
この目的を達成するために、符号化光ネットワークは、中央光源と、少なくとも１つのサテライト光源と、ネットワーク内の光源の照明設定、即ち、発される光の特性を調整するためのコントローラとを有する。コントローラと中央光源との間の通信は、好ましくは、無線周波数技術に基づく第１の通信リンクにより実現される。中央光源とサテライト光源との間の通信は、可視符号化光に基づく第２の通信リンクにより、即ち、発される光に情報を変調するとともに、光検出器によって受信された符号化光を復調することによって、実現される。
【００１４】
符号化光ネットワークをセットアップする場合、中央光源は、当該技術分野において既知の近接検出により、コントローラと関連付けられてもよい。サテライト光源は、光ネットワークのユーザによってコントローラを用いて開始されるアソシエーション要求により、中央光源と関連付けられてもよい。アソシエーション要求は、符号化光を用いて、中央光源からサテライト光源へ送信される。アソシエーション要求の受信に応じて、及び、アソシエーションプロセスが可能であるという条件下で、各サテライト光源は、第２の通信リンク上で、自身の識別子をそれぞれ送信する。中央光源において、サテライト光源の識別子を受信すると、識別子を送信したサテライト光源は、中央光源と関連付けられるとともに、中央光源とコントローラとの間の第１の通信リンクにより、符号化光ネットワークのコントローラとも関連付けられる。ネットワークのサテライト光源がネットワークの中央光源と関連付けられた後、ネットワーク内の全ての光源が、コントローラにより、個別に、又は、まとめて、制御され得る。
【００１５】
隣接する照明システムのサテライト光源からの干渉のリスクを軽減できるため、アソシエーションプロセスが可能である場合にのみサテライト照明装置の識別子を送信して、サテライト照明装置と識別子を受信する中央光源との間の関連付けを可能とすることは、好適である。当該態様では、誤った関連付けのリスクが低減され得る。アソシエーションプロセスは、以下に説明されるように、符号化光ネットワークのユーザによって可能とされてもよい。
【００１６】
本発明の一実施形態によれば、アソシエーションプロセスは、サテライト照明装置が初めて電源オンされた後の所定の期間、可能とされる。設置されたばかりのサテライト照明装置は、電源オンされた場合に、いつでもネットワークの中央光源と関連付けられることができるため、これは好適である。上記期間は、一般的に、数秒又は数十秒のオーダである。
【００１７】
本発明の他の実施形態によれば、サテライト照明装置は、ユーザ操作可能な素子を更に有する。アソシエーションプロセスは、ユーザ操作可能な素子が操作された後の所定の期間、可能とされる。サテライト照明装置と中央照明装置との既存の関連付けがリセットされて、その後、サテライト照明装置が再び関連付けされるため、これは好適である。ユーザ操作可能な素子は、例えば、サテライト照明装置に設けられた、ボタン又はスイッチであってもよい。リセットは、ボタンを押下することによって、簡単に実行される。上記期間は、一般的に、数秒又は数十秒のオーダである。
【００１８】
本発明の他の実施形態によれば、アソシエーションプロセスは、通信手段によってリセット要求が受信された後の所定の期間、可能とされる。リセット要求は、好ましくは、符号化光により受信される。例えば、符号化光ネットワークのユーザは、符号化光によりリセット要求を発するように構成された専用の発光装置を使用してもよい。例えば、ユーザは、所定の期間においてアソシエーションプロセスを可能にするためのトーチ又はレーザポインタのような装置を使用してもよい。これは、ユーザが、単純に専用の発光装置をサテライト照明装置に向けることによって、関連付けたいサテライト照明装置を選択できるという点で好適である。上記期間は、一般的に、数秒又は数十秒のオーダである。
【００１９】
本発明の実施形態によれば、符号化光により通信を実現するための通信手段は、光源から発せられた光を変調することによって、第２の通信リンク上でデータを送信するように構成される。また、当該通信手段は、光検出器で検出された光を復調することによって、第２の通信リンク上でデータを受信するように構成される。光検出器は、好ましくは、周辺光（アンビエント光）が検出器に到達するように、照明装置に配置される。
【００２０】
本発明の第１の態様の実施形態によれば、制御手段は、更に、第１の通信リンク上で光設定を受信し、放たれる光の特性を光設定に応じて調整し、第２の通信リンク上で光設定を送信するように構成される。放たれる光の特性は、光設定が照明装置のために意図されているという条件下で、調整される。
【００２１】
本発明の第２の態様の実施形態によれば、制御手段は、更に、第２の通信リンク上で光設定を受信し、放たれる光の特性を光設定に応じて調整するように構成される。放たれる光の特性は、光設定が照明装置のために意図されているという条件下で、調整される。符号化光ネットワーク内の光源の光設定が、ネットワークのユーザが所望するように、個別に調整されるため、これは好適である。これは、例えば、光設定とともに、送信された光設定の対象である照明装置の１又は複数の識別子を送信することによって達成され得る。光設定が照明装置において受信された場合、中央照明装置及びサテライト照明装置のいずれかにおいて、照明装置は、光設定とともに受信した識別子を自身の識別子と比較する。識別子が合致すれば、照明装置は、受信した光設定に従って、自身の光設定を調整する。
【００２２】
本発明の一実施形態によれば、照明システムが供給される。当該照明システムは、中央照明装置と、サテライト照明装置と、照明制御装置とを有する。照明制御装置と中央照明装置とは、第１の通信リンク上で通信するように構成される。中央照明装置とサテライト照明装置とは、第２の通信リンク上で通信するように構成される。照明制御装置は、第１の通信リンク上でアソシエーション要求を送信するように構成される。アソシエーション要求は、ユーザ要求に応じて送信される。本発明の実施形態によれば、照明システム、即ち、符号化光ネットワークは、第１の通信リンク、即ち、ZigBee、WiFi、又は、Bluetoothを通じて通信可能な光源だけでなく、符号化光を通じてのみ通信するサテライト照明装置を有するという点で好適である。中央照明装置と１又は複数のサテライト照明装置とを使用することによって、照明システムのためのコストが低減され得る。
【００２３】
本発明の実施形態及びその利点が、一部の例では、それぞれ、本発明の第１及び第２の態様に従った照明装置を参照して説明されたが、然るべき論法が、本発明の第３態様に従った方法の実施形態に適用される。
【００２４】
さらに、本発明の目的、特徴、及び、利点が、以下の詳細な開示、図面、及び、添付の請求項を研究した場合に、明らかになるであろう。当該技術分野における当業者は、本発明の異なる特徴が、以下に説明される実施形態とは異なる実施形態を作るために、組み合わせられてもよいことを理解する。
【図面の簡単な説明】
【００２５】
上記の目的、特徴、及び、利点のほか、本発明の他の目的、特徴、及び、利点が、添付の図面を参照して、本発明の実施形態に関する以下の例示的且つ非制限的な詳細な説明を通じて、より理解されるであろう。
【図１】図１は、本発明の一実施形態に従った照明システムを示している。
【図２】図２は、本発明の一実施形態に従ったサテライト電球を示している。
【図３】図３は、本発明の一実施形態に従った照明システムの使用を示している。  全ての図面は、概略的であり、縮尺通りである必要はなく、一般的に、本発明を解釈するために必要な部分のみを示しており、他の部分は、省略されるか、又は、単なる提示であってもよい。
【発明を実施するための形態】
【００２６】
図１では、本発明の一実施形態に従った照明システムが示されている。
【００２７】
照明システム１００は、中央照明装置１１１と、２つのサテライト照明装置１２１，１３１と、照明システム１００の光設定、即ち、照明装置１１１，１２１，１３１によってそれぞれ発せられた光１１２，１２２，１３２の特性を調整するためのユーザ操作可能なリモコン１４１とを有している。図１では、照明装置１１１，１２１，１３１は、例えば、ランプ１１０，１２０，１３０内にそれぞれマウントされた電球として図示されている。
【００２８】
照明システム１００のユーザ１４０は、リモコン１４１を用いて、発せられる光１１２，１２２，１３２の特性を調整することができる。発せられる光の特性は、オン／オフ、強度、色温度、ビーム幅、又は、色などを含むが、これらに限定されない。これは、例えば、リモコン１４１のボタンを押下するか、又は、レバーを動かすことによって、達成されてもよい。リモコン１４１は、ユーザ要求に応じて、情報、即ち、所望の光設定に関連するデータを、ZigBee、WiFi、又は、Bluetoothなどの無線周波数ベースの技術により、第１の通信リンク上で、送信するように構成される。第１の通信リンク上の通信は、第１のプロトコルに従って実現されてもよい。第１の通信リンク１４２上で運ばれる情報は、中央照明装置１１１によって受信される。中央照明装置１１１は、光設定の受信に応じて、発せられる光１１２の特性を受信した光設定に従って調整するように構成される。さらに、中央照明装置１１１は、光設定の受信に応じて、第２の通信リンク上で光設定を再送信するように構成される。第２の通信リンク上の通信は、符号化光により、即ち、発せられる光１１２にデータを変調することによって、実現される。第２の通信リンク上の通信は、第２のプロトコルに従って実現されてもよい。符号化光１１２により送信された情報は、その後、発せられる光１２２，１３２の特性を、受信した光設定に従って調整するようにそれぞれ構成されたサテライト照明装置１２１，１３１によって受信される。
【００２９】
照明システム１００が上述のように機能するために、照明装置１１１，１２１，１３１は、リモコン１４１から送信された情報、即ち、光設定が、対象の照明装置１１１，１２１，１３１によって受信されるように、ネットワークとしてセットアップされる。換言すれば、照明装置１１１，１２１，１３１は、リモコン１４１と関連付けられる必要がある。これは、中央照明装置１１１をリモコン１４１と関連付け、サテライト照明装置１２１，１３１を中央照明装置１１１と関連付けて、サテライト照明装置１２１，１３１をリモコン１４１と事実上リンクさせることによって達成され得る。
【００３０】
中央照明装置１１１とリモコン１４１との間の関連付け、即ち、第１の通信リンクは、例えば、当該技術分野において既知の近接検出により確立されてもよい。あるいは、関連付けは、リモコン１４１における設定を実行することによって、例えば、中央照明装置１１１の識別子を入力するか、又は、リモコン１４１において識別子をハードコードすることによって、確立されてもよい。
【００３１】
サテライト照明装置１２１，１３１のそれぞれと中央照明装置１１１との間の関連付けは、情報、即ち、中央照明装置１１１からサテライト照明装置１２１，１３１へのアソシエーション要求を有するデータを送信することによって、確立されてもよい。アソシエーション要求は、ユーザ要求に応じて、送信される。例えば、照明システム１００のユーザ１４０は、リモコン１４１の専用ボタンを押下し、これにより、アソシエーションプロセスを開始してもよい。あるいは、アソシエーション要求は、リモコン１４１の電源ボタン又は任意の他のボタンが短い時間だけ押下された場合に送信されてもよい。あるいは、アソシエーションプロセスは、中央照明装置１１１とリモコン１４１との間の関連付けが、例えば、近接検出により実現されるのと同時に開始されてもよい。
【００３２】
この目的を達成するために、アソシエーション要求メッセージが、第２の通信リンク上、即ち、符号化光１１２により、送信される。アソシエーション要求メッセージの受信に応じて、サテライト照明装置１２１，１３１は、サテライト照明装置１２１，１３１においてアソシエーションプロセスが可能であるという条件下で、自身の識別子を中央照明装置１１１にそれぞれ返信する。換言すれば、アソシエーション要求を受信したサテライト照明装置１２１，１３１は、照明システム１００のユーザ１４０によって、アソシエーションが可能とされた、即ち、許可された場合にのみ、当該要求に応答する。中央照明装置１１１におけるサテライト照明装置１２１，１３１の識別子の受信に応じて、アソシエーションプロセスは、サテライト照明装置１２１，１３１との関連付けを格納することにより完了される。関連付けの格納は、例えば、中央照明装置１１１において、受信した識別子をメモリに格納することによって実現されてもよい。あるいは、中央照明装置１１１は、受信した識別子などの関連付けに関連する情報を、リモコン１４１に送信し、その後、リモコン１４１において識別子が格納されてもよい。サテライト照明装置１２１，１３１が中央照明装置１１１と関連付けられ、事実上、リモコン１４１と関連付けられた後、ユーザ１４０は、リモコン１４１を使用することによって、照明装置１１１，１２１，１３１のいずれかの光設定を調整することができる。
【００３３】
アソシエーションプロセスは、上述したように、照明システム１００のユーザ１４０によって制御される限られた時間に制限される。当該態様において、隣接する照明システムから送信された関連付け要求によって生じ得る誤った関連付けのリスクが低減され得る。この目的を達成するために、サテライト照明装置１２１，１３１は、照明システム１００のユーザ１４０から承認された関連付けのみを実行するように構成される。例えば、本発明の一実施形態によれば、サテライト照明装置１２１，１３１は、サテライト照明装置１２１，１３１が初めて電源オンされた後の特定の期間のみ、中央照明装置１１１からのアソシエーション要求を許可し、自身の識別子をそれぞれ送信するように構成されてもよい。
【００３４】
図２を参照して、本発明の他の実施形態に従ったサテライト照明装置が説明される。
【００３５】
図２では電球として図示されているサテライト照明装置２００は、光源２０１と、情報、即ち、第２の通信リンク上の符号化光により送信されるデータを受信するための受信器２０２と、ボタン２０３とを有する。光源２０１は、例えば、発せられる光を変調することによって符号化光を発するように構成されたソリッドステート光源であってもよい。受信器２０２は、光センサ、即ち、可視光を検出するための光検出器と、符号化光によって運ばれる情報を抽出するための手段とを有する。ボタン２０３は、図１を参照して説明されたように、サテライト照明装置１２１，１３１などのサテライト照明装置２００を中央照明装置１１１などの中央照明装置と関連付けるアソシエーションプロセスを可能とするために使用され得る。これは、ボタン２０３を押下することによってなされ、その後、サテライト照明装置は、第２の通信リンク上で自身の識別子を送信することにより、アソシエーション要求に応答する。
【００３６】
光センサ２０２及びボタン２０３が電球２００の側部上に配置されているように図示されているが、センサ２０２及びボタン２０３の他の配置が容易に想定され得るものと認められるであろう。好ましくは、ボタン２０３は、ユーザによって簡単にアクセス可能であるように配置され、センサ２０２は、周辺光（アンビエント光）が検出され得るように配置される。
【００３７】
図３では、図１を参照して説明されたように、照明システム１００のユーザ１４０が、照明装置１２１などのサテライト照明装置を中央照明装置１１１と関連付ける方法が示されている。
【００３８】
まず、ステップ３０１では、図２を参照して説明したように、ユーザ１４０が、アソシエーションプロセスを可能とするために、サテライト照明装置２００のボタン２０３などのサテライト照明装置１２１のボタンを押下する。次いで、ステップ３０３では、ユーザ１４０は、照明システム１００のリモコン１４１のボタンを押下する。ボタン押下に応じて、リモコン１４１は、アソシエーション要求を中央照明装置１１１に送信し、中央照明装置１１１は、アソシエーション要求をサテライト照明装置１２１に再送信する。サテライト照明装置１２１のボタンの押下によって開始された期間中にサテライト照明装置１２１がアソシエーション要求を受信してアソシエーションプロセスが可能となったという条件下で、サテライト照明装置１２１は、関連付けを実行する中央照明装置１１１に自身の識別子を送信する。関連付けが実行された後、異なる中央照明装置への再関連付けが実施されない限り、サテライト照明装置１２１は、中央照明装置１１１がリモコン１４１から制御情報を受信し、光設定が中央照明装置１１１によって送信されたという条件下で、受信した照明装置１２１向けの光設定に従って自身の光設定を調整する。
【００３９】
図３を参照して、図１を参照して説明されたサテライト照明装置１２１，１３１、又は、図２を参照して説明されたサテライト照明装置２００などのサテライト照明装置の代替的な実施形態の使用が説明される。本発明の一実施形態によれば、サテライト照明装置は、サテライト照明装置１２１が初めて電源オンされた時に開始される期間にのみアソシエーション要求を受信したことに応じて、自身の識別子を送信するように構成されてもよい。これは、例えば、サテライト照明装置１２１が初めて電源オンされた場合、例えば、ステップ３０２に図示されるように、サテライト照明装置１２１に適合したランプが電気コンセントに接続された場合に、サテライト照明装置１２１に設けられるタイマを開始することによって達成されてもよい。
【００４０】
本発明は、１つの中央光源と少なくとも１つのサテライト光源とを有する照明システム又は符号化光ネットワークに関して説明されたが、複数の中央光源を有する照明システムを想定することも可能である。複数の中央光源が使用される場合、全ての中央光源は、例えば、全く同一の照明コントローラと関連付けられ、まとめて、又は、個別に、制御されてもよい。オプションで、中央光源は、異なる照明コントローラとリンク付され、個別に制御されてもよい。
【００４１】
当該技術分野における当業者は、本発明が、上述した実施形態に限定される必要はないことを理解する。反対に、多くの修正及び変形が、添付の請求項の範囲において可能である。例えば、中央照明装置の実施形態は、第２の通信リンク上で情報を再送信する前に、第１の通信リンク上で受信した情報を変換するための手段を更に有していてもよい。この目的のため、中央照明装置は、第１のプロトコルを第２のプロトコルに変換し、且つ、第２のプロトコルを第１のプロトコルに変換するための手段を備えていてもよい。
【００４２】
結論として、中央照明装置と、少なくとも１つのサテライト照明装置と、光設定を調整するためのコントローラとを有する照明システムが供給される。コントローラは、ユーザ要求に応じて、第１の通信リンク上でアソシエーション要求を送信するように構成される。中央照明装置は、アソシエーション要求を受信するとともに、符号化光により第２の通信リンク上でアソシエーション要求を再送信するように構成される。サテライト照明装置は、アソシエーション要求の受信に応じて、自身の識別子を中央照明装置に送信するように構成される。識別子は、アソシエーションプロセスが可能とされている場合にのみ、送信される。アソシエーションプロセスは、ユーザ要求に応じて、限られた期間で可能とされる。さらに、中央照明装置は、識別子の受信に応じて、サテライト照明装置を中央照明装置と関連付けるように構成される。
【図１】
0005992438.tif 000002
【図２】
0005992438.tif 000003
【図３】
0005992438.tif 000004